(57)【要約】【課題】デジタルマイクの代わりに、アナログマイクを用いることにより製造コストを削減するコンピューターに用いられるビデオ／オーディオモジュールを提供する。【解決手段】回路板３０、少なくとも一組のアナログマイク４０および少なくとも一つのＡＤＣユニット５０を含む。一組のアナログマイク４０は、回路板３０上に電気的に接続するように固設され、音声周波数信号を取得し、アナログ音声周波数信号を出力する。ＡＤＣユニット５０は、回路板３０上に電気的に接続するように固設され、入力端子が一組のアナログマイク４０にそれぞれ一対一の方式で電気的に接続され、アナログ音声周波数信号をデジタル音声周波数信号に転換して出力する。【選択図】図４
2011160394.tif 000002
【特許請求の範囲】
【請求項１】
回路板と、
前記回路板上に電気的に接続するように固設され、音声周波数信号を取得し、アナログ音声周波数信号を出力する少なくとも一組のアナログマイクと、
前記回路板上に電気的に接続するように固設され、入力端子が前記一組のアナログマイクにそれぞれ一対一の方式で電気的に接続され、アナログ音声周波数信号をデジタル音声周波数信号に転換して出力する少なくとも一つのＡＤＣユニットと、を含むことを特徴とするコンピューターに用いられるビデオ／オーディオモジュール。
【請求項２】
前記ビデオ／オーディオモジュールは、少なくとも二組のアナログマイクを備えることを特徴とする請求項１に記載のコンピューターに用いられるビデオ／オーディオモジュール。
【請求項３】
前記ビデオ／オーディオモジュールは、前記ＡＤＣユニットの出力端子に電信的に接続し、デジタル音声周波数信号をパソコン本体に伝達するデジタルインタフェースを有する制御装置をさらに備えることを特徴とする請求項１に記載のコンピューターに用いられるビデオ／オーディオモジュール。
【請求項４】
前記デジタルインタフェースは、ＰＤＭであることを特徴とする請求項３に記載のコンピューターに用いられるビデオ／オーディオモジュール。
【請求項５】
前記ＡＤＣユニットは、前記制御装置とともに一つのチップユニットに整合されることを特徴とする請求項３に記載のコンピューターに用いられるビデオ／オーディオモジュール。
【請求項６】
前記ビデオ／オーディオモジュールは、前記回路板上に電気的に接続するように固設され、前記デジタルインタフェースと、前記ビデオ／オーディオモジュールが必要とする電源およびアース線と、を接続するコネクターをさらに備えることを特徴とする請求項３に記載のコンピューターに用いられるビデオ／オーディオモジュール。
【請求項７】
前記ビデオ／オーディオモジュールは、着脱可能な状態で前記コネクターに電気的に接続し、前記デジタルインタフェースと、前記ビデオ／オーディオモジュールが必要とする電源およびアース線と、を前記パソコン本体に接続するケーブルをさらに備えることを特徴とする請求項６に記載のコンピューターに用いられるビデオ／オーディオモジュール。
【請求項８】
前記ビデオ／オーディオモジュールは、前記回路板上に電気的に接続するように固設され、映像信号を取得し、デジタル映像信号に転換して制御装置に出力する少なくとも一つのイメージセンサーをさらに備えることを特徴とする請求項１に記載のコンピューターに用いられるビデオ／オーディオモジュール。
【請求項９】
前記イメージセンサーは、ＣＭＯＳイメージセンサまたはＣＣＤイメージセンサであることを特徴とする請求項８に記載のコンピューターに用いられるビデオ／オーディオモジュール。
【請求項１０】
前記制御装置は、デジタル映像信号を受信し、パソコン本体に伝達するＵＢＳインタフェースをさらに有することを特徴とする請求項８に記載のコンピューターに用いられるビデオ／オーディオモジュール。
【請求項１１】
前記ビデオ／オーディオモジュールは、前記回路板上に電気的に接続するように固設され、前記ＵＢＳインタフェースと、前記ビデオ／オーディオモジュールが必要とする電源およびアース線と、を接続するコネクターをさらに備えることを特徴とする請求項１０に記載のコンピューターに用いられるビデオ／オーディオモジュール。
【請求項１２】
前記ビデオ／オーディオモジュールは、着脱可能な状態で前記コネクターに電気的に接続し、前記ＵＢＳインタフェースと、前記ビデオ／オーディオモジュールが必要とする電源およびアース線と、を前記パソコン本体に接続するケーブルをさらに備えることを特徴とする請求項１１に記載のコンピューターに用いられるビデオ／オーディオモジュール。
【請求項１３】
前記ビデオ／オーディオモジュールは、前記回路板上に電気的に接続するように固設され、出力端子が前記ビデオ／オーディオモジュールの各電子デバイスに電気的に接続されている電圧変換ユニットをさらに備えることを特徴とする請求項１に記載のコンピューターに用いられるビデオ／オーディオモジュール。
【請求項１４】
前記電圧変換ユニットは、前記制御装置とともに一つのチップユニットに整合されることを特徴とする請求項１３に記載のコンピューターに用いられるビデオ／オーディオモジュール。
【請求項１５】
回路板と、
前記回路板上に電気的に接続するように固設され、音声周波数信号を取得し、アナログ音声周波数信号を出力する少なくとも二組のアナログマイクと、
前記回路板上に電気的に接続するように固設され、映像信号を取得し、デジタル映像信号を出力するイメージセンサーと、
入力端子が前記一組のアナログマイクにそれぞれ一対一の方式で電信的に接続され、アナログ音声周波数信号をデジタル音声周波数信号に転換して出力する二つのＡＤＣユニットと、前記ＡＤＣユニットの出力端子に電信的に接続し、デジタル音声周波数信号をパソコン本体に伝達するＰＤＭと、デジタル映像信号を受信し、前記パソコン本体に伝達するＵＢＳインタフェースと、を有し、前記回路板上に電気的に接続するように固設され、アナログ音声周波数信号およびデジタル映像信号を受信する制御装置と、
前記回路板上に電気的に接続するように固設され、ケーブルにより前記ＰＤＭ、前記ＵＢＳインタフェースと、前記ビデオ／オーディオモジュールが必要とする電源およびアース線と、を前記パソコン本体に接続するコネクターと、
前記回路板上に電気的に接続するように固設され、出力端子が前記アナログマイク、前記イメージセンサーおよび前記制御装置に電気的に接続され、前記アナログマイク、前記イメージセンサーおよび前記制御装置に適用される電圧値に電源をそれぞれ転換する電圧変換ユニットと、を備えることを特徴とするコンピューターに用いられるビデオ／オーディオモジュール。
【請求項１６】
前記イメージセンサーは、ＣＭＯＳイメージセンサまたはＣＣＤイメージセンサであることを特徴とする請求項１５に記載のコンピューターに用いられるビデオ／オーディオモジュール。
【請求項１７】
前記電圧変換ユニットは、前記制御装置とともに一つのチップユニットに整合されることを特徴とする請求項１５に記載のコンピューターに用いられるビデオ／オーディオモジュール。
【発明の詳細な説明】
【技術分野】
【０００１】
本発明は、コンピューターに用いられるビデオ／オーディオモジュールに関し、特に、ノート型ＰＣおよびオールインワンＰＣに用いられるビデオ／オーディオモジュールに関する。
【背景技術】
【０００２】
電子製品の発展にともない、通信装置に対するユーザーの要求は、ますます高いものとなっている。ＴａｂｌｅｔＰＣ、ノート型ＰＣなどの携帯型ＰＣおよびオールインワンＰＣ(All-in-one computer)にとって、音声を取得する音声周波数センサー、映像を撮影するイメージセンサーまたは両者の機能を同時に兼備するＷｅｂカメラなどの音声映像センサーは、必要不可欠なデバイスとなっている。
【０００３】
携帯型ＰＣおよびオールインワンＰＣにおいて、ビデオ／オーディオモジュールは、液晶ディスプレイの上部に配置されることが多かったため、ビデオ／オーディオモジュールとＰＣ本体内のマザーボードとの間の距離が長かった。また、音声周波数信号および映像信号は、液晶ディスプレイのため、ノイズが発生した。そのため、デジタル信号を用いて信号の伝達を行なわなければ、音声周波数信号および映像信号の品質を確保し、ＰＣ本体にノイズのない音声周波数信号および映像信号を伝達することができなかった。
【０００４】
以下、従来技術を図面に基づいて説明する。図１を参照する。図１は、従来のビデオ／オーディオモジュールを示すブロック回路図である。図１に示すように、従来のビデオ／オーディオモジュール１０は、二組のデジタルマイク１１、イメージセンサー１２、制御装置１３およびＵＳＢインタフェース１４を含む。
【０００５】
デジタルマイク１１は、変換器１１１(transducer)およびＡＤＣ１１２を有する。変換器１１１は、取得した音声周波数信号をアナログ音声周波数信号に転換するのに用いられる。ＡＤＣ１１２は、アナログ音声周波数信号をデジタル音声周波数信号に転換し、制御装置１３に出力するのに用いられる。イメージセンサー１２は、映像をデジタル映像信号に転換し、制御装置１３に出力するのに用いられる。制御装置１３は、デジタル映像信号およびデジタル音声周波数信号を整合し、デジタル信号に処理し、ＵＳＢインタフェース１４を介してコンピューター本体に伝達する。
【０００６】
従来のビデオ／オーディオモジュールは、長めのケーブルがディスプレイを伝ってマザーボードに接続されるため、ノイズの影響を受けやすかった。そのため、デジタルマイクを用いなければ、デジタル映像信号およびデジタル音声周波数信号の品質を確保することができなかった。しかし、デジタルマイクは、コストが高く、ビデオ／オーディオモジュールの製造コストを低下させることができなかったため、携帯型コンピュータおよびオールインワンＰＣの製造コストも同様に低下させることができなかった。
【発明の概要】
【発明が解決しようとする課題】
【０００７】
本発明の第１の目的は、デジタルマイクの代わりに、アナログマイクを用いることにより製造コストを削減するコンピューターに用いられるビデオ／オーディオモジュールを提供することにある。
本発明の第２の目的は、ビデオ／オーディオモジュール内に配置されるＡＤＣユニットおよび制御装置が一つのチップユニットに整合されることにより、ノイズを除去し、製造コストを削減するコンピューターに用いられるビデオ／オーディオモジュールを提供することにある。
【０００８】
上述の目的を達成するため、本発明は、コンピューターに用いられるビデオ／オーディオモジュールを提供する。本発明のコンピューターに用いられるビデオ／オーディオモジュールは、回路板、少なくとも一組のアナログマイクおよび少なくとも一つのＡＤＣユニットを含む。一組のアナログマイクは、回路板上に電気的に接続するように固設され、音声周波数信号を取得し、アナログ音声周波数信号を出力する。ＡＤＣユニットは、回路板上に電気的に接続するように固設され、入力端子が前記一組のアナログマイクにそれぞれ一対一の方式で電気的に接続され、アナログ音声周波数信号をデジタル音声周波数信号に転換して出力する。
【０００９】
上述の目的を達成するため、本発明は、もう一つのコンピューターに用いられるビデオ／オーディオモジュールをさらに提供する。本発明のコンピューターに用いられるビデオ／オーディオモジュールは、回路板、少なくとも二組のアナログマイク、イメージセンサー、制御装置、コネクターおよび電圧変換ユニットを含む。少なくとも二組のアナログマイクは、回路板上に電気的に接続するように固設され、音声周波数信号を取得し、アナログ音声周波数信号を出力する。イメージセンサーは、回路板上に電気的に接続するように固設され、映像信号を取得し、デジタル映像信号を出力する。制御装置は、回路板上に電気的に接続するように固設され、アナログ音声周波数信号およびデジタル映像信号を受信する。また、二つのＡＤＣユニットおよびＰＤＭを有する。ＡＤＣユニットは、入力端子が一組のアナログマイクにそれぞれ一対一の方式で電気的に接続され、アナログ音声周波数信号をデジタル音声周波数信号に転換して出力する。ＰＤＭは、ＡＤＣユニットの出力端子に電気的に接続し、デジタル音声周波数信号をパソコン本体に伝達する。コネクターは、回路板上に電気的に接続するように固設され、ケーブルによりＰＤＭ、ＵＢＳインタフェースと、記ビデオ／オーディオモジュールが必要とする電源およびアース線と、をパソコン本体に接続する。電圧変換ユニットは、回路板上に電気的に接続するように固設され、出力端子がアナログマイク、イメージセンサーおよび制御装置に電気的に接続され、アナログマイク、イメージセンサーおよび制御装置に適用される電圧値に電源をそれぞれ転換する。
【発明の効果】
【００１０】
本発明のコンピューターに用いられるビデオ／オーディオモジュールは、デジタルマイクの代わりに、アナログマイクを用いることにより製造コストを削減することができる。ＡＤＣユニットおよび制御装置が一つのチップユニットに整合されることにより、ノイズを除去し、製造コストを削減することができる。また、コンピューター本体において、マザーボードまたは使用しているソフトウェアを修正する必要がなく、ビデオ／オーディオモジュール用いることができる。
【図面の簡単な説明】
【００１１】
【図１】従来のビデオ／オーディオモジュールを示すブロック回路図である。
【図２】本発明の一実施形態によるコンピューターに用いられるビデオ／オーディオモジュールを示す斜視図である。
【図３】本発明のもう一つの実施形態によるコンピューターに用いられるビデオ／オーディオモジュールを示す斜視図である。
【図４】本発明の第１の実施形態によるコンピューターに用いられるビデオ／オーディオモジュールを示すブロック回路図である。
【図５】本発明の第２の実施形態によるビデオ／オーディオモジュールを示すブロック回路図である。
【図６】本発明の第３の実施形態によるコンピューターに用いられるビデオ／オーディオモジュールを示すブロック回路図である。
【図７】本発明の第４の実施形態によるビデオ／オーディオモジュールを示すブロック回路図である。
【図８】本発明の一実施形態によるコンピューターに用いられるビデオ／オーディオモジュールの応用例を示す斜視図である。
【発明を実施するための形態】
【００１２】
以下、本発明の実施形態を図面に基づいて説明する。
【００１３】
図２および図３を参照する。図２は、本発明の一実施形態によるコンピューターに用いられるビデオ／オーディオモジュールを示す斜視図である。図３は、本発明のもう一つの実施形態によるビデオ／オーディオモジュールを示す斜視図である。図２および図３に示すように、本発明のビデオ／オーディオモジュール２０は、回路板３０、少なくとも一組のアナログマイク４０および少なくとも一つのＡＤＣユニットを含む。
【００１４】
回路板３０は、ビデオ／オーディオモジュール２０が必要とする各種電子デバイスを搭載し、回路板３０内の回路設計により電子デバイス間を電気的に接続し、信号を伝達させる。
【００１５】
アナログマイク４０は、回路板３０上に電気的に接続するように固設され、外部の音声から音声周波数信号を取得する。アナログマイク４０は、音声周波数信号をアナログ音声周波数信号に転換して出力する変換器４１（図３および図４参照）を設けている。本実施形態おいては、少なくとも二組のアナログマイク４０を用いている。アナログマイク４０は、回路板３０の両方の端部にそれぞれ配置され、異なる位置の音声を収集し、音声周波数のフィルタリング技術により、ノイズ除去を行なう。音声周波数のフィルタリング技術は、例えば、マイクアレイによりノイズ除去を行なうなど、確立された技術で、多方面に用いられているが、本発明の保護範囲に含まれないため、詳細な説明を行なわない。
【００１６】
図４〜７を参照する。図４は、本発明の第１の実施形態によるコンピューターに用いられるビデオ／オーディオモジュールを示すブロック回路図である。図５は、本発明の第２の実施形態によるビデオ／オーディオモジュールを示すブロック回路図である。図６は、本発明の第３の実施形態によるコンピューターに用いられるビデオ／オーディオモジュールを示すブロック回路図である。図７は、本発明の第４の実施形態によるビデオ／オーディオモジュールを示すブロック回路図である。図２および図３では、ＡＤＣユニット（図示せず）が回路板３０上に電気的に接続するように固設されているが、図４〜７に示すように、ＡＤＣユニット５０の入力端子は、一組のアナログマイク４０にそれぞれ一対一の方式で電信的に接続され、アナログ音声周波数信号をデジタル音声周波数信号に転換して出力する
【００１７】
図２および図３では、回路板３０には、制御装置（図示せず）がさらに固設されているが、図４、図６および図７に示すように、制御装置６０には、例えば、ＰＤＭなどのデジタルインタフェース６１を設けることもできる。デジタルインタフェース６１は、ＡＤＣユニット５０の出力端子に電信的に接続し、デジタル音声周波数信号をパソコン本体に伝達することができる。デジタル音声周波数信号は、高い抗ノイズ性を有するため、伝達する音声周波数信号の品質を確保することができる。
【００１８】
図５に示すように、ＡＤＣユニット５０は、制御装置６０と分けて二つの電子デバイスとして設けてもよいし、図６および図７に示すように、ＡＤＣユニット５０および制御装置６０は、一つのチップユニット７０に整合してもよい。図２および図３に示すように、ＡＤＣユニット５０および制御装置６０が整合されたチップユニット７０は、回路板３０上に固設されてもよい。また、図７に示すように、ビデオ／オーディオモジュール２０が二組のアナログマイク４０を設ける時、ＡＤＣユニット５０および制御装置６０が整合されたチップユニット７０を二つ用いて各アナログマイク４０をそれぞれチップユニット７０に対応させることができる。
【００１９】
図２および図３に示すように、ビデオ／オーディオモジュール２０は、少なくとも一つのイメージセンサー１２をさらに含む。イメージセンサー１２は、映像信号を取得し、デジタル映像信号に転換して制御装置６０（図４および図５参照）に出力する。イメージセンサー１２は、ＣＭＯＳイメージセンサ、ＣＣＤイメージセンサなどでよい。イメージセンサー１２は、回路板３０上に電気的に接続するように固設されている。アナログマイク４０は、図２に示すように、イメージセンサー１２の一方の側部に配置したり、図３に示すように、イメージセンサー１２の両側に配置したりすることができる。
【００２０】
図４および図５に示すように、制御装置６０は、ＵＳＢインタフェース６２をさらに有する。ＵＳＢインタフェース６２は、イメージセンサー１２の出力したデジタル映像信号を受信して、デジタル映像信号をパソコン本体に伝達する。
【００２１】
図２および図３に示すように、ビデオ／オーディオモジュール２０は、コネクター８０およびケーブル８１をさらに含む。コネクター８０は、回路板３０上に電気的に接続するように固設され、ＵＳＢインタフェース６２（図４参照）と、ビデオ／オーディオモジュール２０が必要とする電源およびアース線と、を接続する。ケーブル８１は、着脱可能な状態でコネクター８０に電気的に接続し、ＵＳＢインタフェース６２と、ビデオ／オーディオモジュール２０が必要とする電源およびアース線と、をパソコン本体に接続する。
【００２２】
図４、図５および図７に示すように、制御装置６０内にデジタルインタフェース６１が配置されていた場合、コネクター８０は、デジタルインタフェース６１と、ビデオ／オーディオモジュール２０が必要とする電源およびアース線と、を接続する。また、ケーブル８１は、デジタルインタフェース６１と、ビデオ／オーディオモジュール２０が必要とする電源およびアース線と、をパソコン本体に接続する。
【００２３】
以上のように、図２および図３において、回路板３０上には、アナログマイク４０、ＡＤＣユニットと制御装置が１つに整合されたチップユニット７０、コネクター８０およびイメージセンサー１２が固設されているが、これらの電子デバイスが必要とする電圧は同様であると限らない。また、同一の電子デバイスにおいて、二種類以上の電圧が必要な場合もあるため、ビデオ／オーディオモジュール２０は、電圧変換ユニット９０（図４〜７参照）をさらに含み、回路板３０上に電気的に接続するように固設することができる。
【００２４】
電圧変換ユニット９０は、入力端子がコネクター８０に電気的に接続されているため、電源に電気的に接続されていることになる。これにより、電源が各電子デバイスに適用される値に転換される。電圧変換ユニット９０は、出力端子がビデオ／オーディオモジュール２０の各電子デバイスに電気的に接続されているため、各電子デバイスが必要な電圧を提供する。つまり、電圧変換ユニット９０は、アナログマイク４０、イメージセンサー１２、制御装置６０、ＡＤＣユニット５０、または制御装置６０およびＡＤＣユニット５０が一つに整合されたチップユニット７０に用いられる電圧値に電源を転換することができる。
【００２５】
図４および図６に示すように、電圧変換ユニット９０は、ＡＤＣユニット５０と制御装置６０が１つに整合されたチップユニット７０内に整合することができる。また、図５および図７に示すように、単独で設けることもできる。
【００２６】
図８を参照する。図８は、本発明の一実施形態によるコンピューターに用いられるビデオ／オーディオモジュールの応用例を示す斜視図である。図８に示すように、本実施形態のビデオ／オーディオモジュール２０は、ＴａｂｌｅｔＰＣ、オールインワンＰＣ、ラップトップＰＣに応用でき、ビデオ／オーディオモジュール２０内にＡＤＣユニットが配置されることにより、アナログマイクがビデオ／オーディオモジュール２０内で使用できるようになり、２０の製造コストを削減することが可能となった。また、コンピューター本体において、マザーボードまたは使用しているソフトウェアを修正する必要がないため、本発明のビデオ／オーディオモジュール２０は、直接で簡単にコンピューター本体に組み合わせて用いることができる。
【００２７】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は、特許請求の範囲で指定した内容を基準とする。
【符号の説明】
【００２８】
１２    イメージセンサー
２０    ビデオ／オーディオモジュール
３０    回路板
４０    アナログマイク
４１    変換器
５０    ＡＤＣユニット
６０    制御装置
６１    デジタルインタフェース
６２    ＵＳＢインタフェース
７０    チップユニット
８０    コネクター
８１    ケーブル
９０    電圧変換ユニット
【図１】
2011160394.tif 000003
【図２】
2011160394.tif 000004
【図３】
2011160394.tif 000005
【図４】
2011160394.tif 000006
【図５】
2011160394.tif 000007
【図６】
2011160394.tif 000008
【図７】
2011160394.tif 000009
【図８】
2011160394.tif 000010